(57)【要約】      （修正有）【課題】軽量で携帯性に優れ、高い保温性を有し、しかも飲料液体が入った内容器を捨てることなく繰り返し使用できる携帯用飲料容器を提供する。【解決手段】飲料液体を入れる上面開口１１の内容器１と、この内容器１を着脱可能に収納する上面開口２１の外ケース２とを設け、飲料液体の飲み口が形成された蓋部材３で内容器１の上面開口１１を密封するとともに、外ケース２の上面開口２１に蓋部材３を係止させる。ここで、軽量性と保温性を同時に具備させる観点から、外ケース２の内周面および内容器１の外周面に突起１２，２２を形成し、内容器１を外ケース２に装着すると、外ケース２の内周面と内容器１の外周面との間に空隙が形成されるようにするのが好ましい。【選択図】図１
2008133035.tif 000002
【特許請求の範囲】
【請求項１】
飲料液体を入れる上面開口の内容器と、この内容器を着脱可能に収納する上面開口の外ケースとを備え、
飲料液体の飲み口が形成された蓋部材が内容器の上面開口を密封するとともに、外ケースの上面開口に係止することを特徴とする携帯用飲料容器。
【請求項２】
前記外ケースの内周面および前記内容器の外周面の少なくとも一方に突起が形成され、前記内容器を前記外ケースに装着すると、前記外ケースの内周面と前記内容器の外周面との間に空隙が形成される請求項１記載の携帯用飲料容器。
【請求項３】
前記内容器の外周面上部に、前記空隙の幅以上の高さの突条が周設され、前記内容器を前記外ケースに装着すると、前記突条によって前記空隙の開口が密封される請求項２記載の携帯用飲料容器。
【請求項４】
前記空隙に、冷却剤又は加温剤を出し入れ可能に収納できる空間が形成されている請求項２又は３記載の携帯用飲料容器。
【請求項５】
前記内容器および前記外ケースの形状が幅の薄い略直方体形状である請求項１〜４のいずれかに記載の携帯用飲料容器。
【発明の詳細な説明】
【技術分野】
【０００１】
本発明は携帯用飲料容器に関し、より詳細には保温性に優れた携帯用飲料容器に関するものである。
【背景技術】
【０００２】
清涼飲料水やお茶、コーヒなどの飲料液体を保温する携帯用の飲料容器としてはこれまでいわゆる魔法瓶が広く使用されてきた。魔法瓶は二重容器の間を真空にし、内瓶の外周面をメッキなどによって鏡面とすることによって、対流や伝導、熱輻射による熱移動を抑えて断熱性を高めたものである。
【０００３】
このような構造の魔法瓶は保温性に優れたものであるが、ガラスやステンレスなどの材料を用いているので重く、また円柱形状をしているので鞄などにいれると嵩張るという欠点があった。また魔法瓶の、飲料液体を入れる内容器は取り外しができないので、飲料液体を内容器ごと冷やしたり温めたりすることができなかった。このため、冷やした又は温めた飲料液体を魔法瓶の内容器に注ぎ入れていた。
【０００４】
一方、飲料液体の入ったペットボトルの販売量が近年急激に増加している。この飲料液体の入ったペットボトルを、中綿の入った布やアルミ蒸着フィルムを貼り合わせた不織布からなる保温カバーで被覆して水筒代わりに携帯することが広く行われている。このような構成によれば従来の魔法瓶に比べて軽く携帯性に優れるものの、上記保温カバーでは高い断熱効果は得られないため、数時間も経てばペットボトル内の飲料液体は常温となる。
【０００５】
そこで、保温性を向上させた保温カバーがこれまでから種々提案されている。例えば特許文献１では、内周面に断熱材を装着したボックスと、ボックス上部に着脱自在に外嵌するコップ型の外蓋とを備え、ペットボトルをボックス内に収納した状態で外蓋を外して飲料液体を注げるようにした保温具が提案されている。また特許文献２では、ガスバリヤ性フィルム内に芯材を減圧封入した真空断熱部材で側周面を断熱し、蓋部と底部を発泡樹脂で断熱する携帯用ペットボトル収納容器が提案されている。さらに特許文献３では、保温材を充填した、飲料容器を収納する中容器と、中容器の外周を覆う断熱性の外容器とを備えた携帯性のある保温用容器が提案されている。
【特許文献１】特開平７−１４９３７９号公報
【特許文献２】特開２００６−１２４０１３号公報
【特許文献３】特開２０００−８５８５９号公報
【発明の開示】
【発明が解決しようとする課題】
【０００６】
しかしながら、上記提案のいずれの保温容器も繰り返し使用されるものの、ペットボトルは中身の飲料液体が無くなると通常は廃棄される。廃棄されたペットボトルの一部は溶融・再加工されて再利用されるが、環境問題の点からは飲料液体が入れられる容器も廃棄せずに繰り返し使用できるものが望ましい。
【０００７】
本発明はこのような従来の問題に鑑みてなされたものであり、その目的とするところは、軽量で携帯性に優れ、高い保温性を有し、しかも飲料液体が入った内容器を捨てることなく繰り返し使用できる携帯用飲料容器を提供することにある。
【０００８】
また本発明の目的は、液体飲料を内容器ごと冷却および加温できる携帯用飲料容器を提供することにある。
【０００９】
さらに本発明の目的は、鞄などに入れても嵩張らない携帯用飲料容器を提案することにある。
【課題を解決するための手段】
【００１０】
前記目的を達成するため本発明の携帯用飲料容器は、飲料液体を入れる上面開口の内容器と、この内容器を着脱可能に収納する上面開口の外ケースとを備え、飲料液体の飲み口が形成された蓋部材が内容器の上面開口を密封するとともに、外ケースの上面開口に係止する構成とした。
【００１１】
ここで、軽量性と保温性を同時に具備させる観点から、前記外ケースの内周面および前記内容器の外周面の少なくとも一方に突起を形成し、前記内容器を前記外ケースに装着すると、前記外ケースの内周面と前記内容器の外周面との間に空隙が形成されるようにするのが好ましい。さらには前記内容器の外周面上部に、前記空隙の幅以上の高さの突条を形成し、前記内容器を前記外ケースに装着すると、前記突条によって前記空隙の開口が密封されるようにするのが好ましい。
【００１２】
保温性のみならず飲料液体を積極的に冷却及び加温する観点から、前記空隙に、冷却剤又は加温剤を出し入れ可能に収納できる空間を形成してもよい。
【００１３】
鞄などへの収納性を向上させる観点から、前記内容器および前記外ケースの形状を幅の薄い略直方体形状とするのが好ましい。
【発明の効果】
【００１４】
本発明の携帯用飲料容器では、飲料液体を入れる上面開口の内容器と、この内容器を着脱可能に収納する上面開口の外ケースとを備え、飲料液体の飲み口が形成された蓋部材が内容器の上面開口を密封するとともに、外ケースの上面開口に係止する構成としたので、部品点数が少なくなり軽量で携帯性に優れ、また飲料液体が入った内容器を捨てることなく繰り返し使用できる。
【００１５】
前記外ケースの内周面および前記内容器の外周面の少なくとも一方に突起を形成し、前記内容器を前記外ケースに装着したときに、前記外ケースの内周面と前記内容器の外周面との間に空隙が形成されるようにすると、前記空隙によって外ケースと内容器の間の熱伝導による熱移動が遮断され保温性が向上する。また魔法瓶等に比べて構造が簡単であるため軽量化が図れて携帯性に優れる。さらに前記内容器の外周面上部に、前記空隙の幅以上の高さの突条を形成し、前記内容器を前記外ケースに装着したときに、前記突条によって前記空隙の開口が密封されるようにすると保温性がさらに向上する。また前記空隙に、冷却剤又は加温剤を出し入れ可能に収納できる空間を形成すると、その空間に冷却剤又は加温剤を装着することによって飲料液体を積極的に冷却又は加温できるようになる。
【００１６】
前記内容器および前記外ケースの形状を幅の薄い略直方体形状とすると、鞄などへの収納性が格段に向上する。
【発明を実施するための最良の形態】
【００１７】
以下、本発明に係る携帯用飲料容器について図に基づいて説明するが、本発明はこれらの実施形態に何ら限定されるものではない。
【００１８】
図１は本発明に係る携帯用飲料容器（以下、「飲料容器」と記すことがある）の一実施形態を示す斜視図である。図１の飲料容器は、飲料液体を入れる薄い箱形状の上面開口で中空の内容器１と、内容器１を着脱可能に収納する上面開口で中空の外ケース２と、内容器１の上面開口１１を密閉し且つ外ケース２の上面開口２１に係止する蓋部材３とを備える。
【００１９】
内容器１の外周面下部には、横方向に所定間隔で複数個の突起１２が形成されている。これらの突起１２によって外ケース２と内容器１との間に空隙が安定して確実に形成されるようになる。また内容器１の外周面には、横方向および縦方向に複数のリブ１３ａ，１３ｂが形成されている。これらのリブ１３ａ，１３ｂによって、内容器１に貯溜された飲料液体（不図示）が膨張・収縮した場合でも内容器１の変形が小さく抑えられるようになる。そしたまた内容器１の外周面上部には横方向に突条１４が周設されている。さらにこの突条１４の上部には一組の係止部（図１では一方のみ図示）１５が形成されている。後述するように、突条１４によって内容器１と外ケース２との間に形成される空隙の上部開口が密封され、また蓋部材３の内フラップ５ａの係止爪５１（図３に図示）が内容器１の係止部１５に係合することによって、内容器１の上面開口１１を密封するように蓋部材３が内容器１に固定する。
【００２０】
一方、蓋部材３の上面から垂直に円筒部３１が延出し、円筒部３１の上面開口が飲み口３２（図２に図示）となっている。円筒部３１の外周面には雄ネジ３５（図２に図示）が形成されており、ここに、内周面に雌ネジ４１（図２に図示）が形成された下面開口の円筒状のキャップ４が螺着して飲み口３２が封止されている。また蓋部材３の側面の、内容器１の係止部１５および外ケース２の係止部２３ａ，２３ｂと対応する位置に、それぞれ一対の内フラップ５ａと外フラップ６ａが回動可能に取り付けられている。具体的には、蓋部材３の側面に横方向に離隔して２つの突部３４ａ，３４ｂが形成され、この２つの突部３４ａ，３４ｂの内方に内フラップ５ａが回動可能に軸支されている。そして、内フラップ５ａの外側を囲むように略Ｕ字状の外フラップ６ａが２つの突部３４ａ，３４ｂの外方に回動可能に軸支されている。蓋部材３の内容器１及び外ケース２への取り付けについては後述する。
【００２１】
外ケース２は内容器１を着脱可能に収納するため、その上面開口２１の内形は、内容器１の外形と相似形状で内容器１の突起１２の高さ分だけ大きく形成されている。また外ケース２の内底面には、内容器１を装着したときに内容器１の底部が当接する突起２２が形成されている。この突起２２によって内容器１と外ケース２との間に形成される空隙が安定且つ確実に保持されるようになる。またこの突起２２によって形成される内容器１と外ケース２との間の空間は、冷却剤７又は加温剤７を収納する空間としても利用される。外ケース２の外周面上部には、内容器１の係止部１５の幅よりも広く隔てて一対の係止部２３ａ，２３ｂが形成され、外ケース２の上面開口２１を隔てた向かい側にも同様に一対の係止部（不図示）が同様に形成されている。後述するように、蓋部材３の外フラップ６ａの係止爪６１ａ，６１ｂ（図５参照）が外ケース２の係止部２３ａ，２３ｂに係合することによって、外ケース２の上面開口２１に蓋部材３が固定される。
【００２２】
図２に、内容器１の外ケース２への装着および蓋部材３の取り付けについての概説図を示す。まず蓋部材３の内容器１への取り付けについて説明する。同図（ａ）及び同図（ｂ）に示すように、蓋部材３には、内容器１の上端面が入り込む周状溝３３が形成されており、周状溝３３には弾性を有するシール部材Ｓが装着されている。蓋部材３を内容器１に取り付ける場合は、内容器１の上端面に蓋部材３の周状溝３３を填め入れる。そして蓋部材３を内容器１の方向に若干押圧した状態で、蓋部材３の内フラップ５（図３に図示）の係止爪５１（図３に図示）を内容器１の係止部１５に係合させる。具体的構成を図３に示す。
【００２３】
図３に示すように、蓋部材３に回動自在に取り付けられた内フラップ５の一方面に係止爪５１が形成されている。そして内容器１の、内フラップ５に対応する位置に係止部１５が形成されている。内容器１に蓋部材３を取り付け、蓋部材３を若干押圧してシール部材Ｓを圧縮させた状態で内フラップ５を回動させて、内フラップ５の係止爪５１を内容器１の係止部１５に引っかける。これによって、内容器１の上面開口１１を塞ぐように蓋部材３が内容器１に固定される。このとき、シール部材Ｓが蓋部材３と内容器１とによって圧縮されるので、内容器１内に貯溜された飲料液体が蓋部材３と内容器１の間から漏れ出ることが確実に防止される。また同時に、シール部材Ｓの弾性によって蓋部材３は内容器１から離れる方向に力を受けるので、図４に示すように、一度係合した係止爪５１と係止部１５とはしっかりと連結され、同図において時計回り方向の力を内フラップ５に加えない限り、両者の係合状態が解除されることはない。
【００２４】
次に、図２（ｃ）に示すように、蓋部材３が取り付けられた内容器１を外ケース２に収納すると、内容器１の外周に形成された突起１２と、外ケース２の内底面に形成された突起２２とによって、内容器１の外周面と外ケース２の内周面との間に空隙が形成される。また同時に、内容器１の外周面上部に形成された突条１４によって空隙の上部開口は閉鎖される。これにより、内容器１の外周面と外ケース２の内周面との間に密閉された空間が形成され、この密封された空間が断熱効果を奏して、内容器１内に貯溜された飲料液体の温度変化が効果的に抑えられる。
【００２５】
なお、図６に示すように、突条１４の頂面に周状溝１４１を形成するとともに、周状溝１４１と対向するように外ケース２の内周面に第２突条２４を形成し、外ケース２に内容器１を装着すると、突条１４の周状溝１４１と外ケース２の第２突条２４が係合するようにしてもよい。このような構成とすることによって、突条１４による、内容器１と外ケース２との間の空隙の密閉性が一層向上する。また外ケース２への内容器１の装着完了が音や振動などによって感じることができるようになる。もちろん、突条１４の頂面に第２突条を形成し、外ケース２の内周面に周状溝を形成しても構わない。
【００２６】
また内容器１と外ケース２との間の空隙は、冷却剤や加温剤を収納する空間としても利用される。空隙に、冷却剤又は加温剤を収納する空間を形成すれば、冷却剤又は加温剤によって内容器１に貯溜された飲料液体を積極的に冷却又は加温することができるようになる。冷却剤及び加熱剤としては従来公知のものを使用できる。冷却剤又は加温剤を収納する空間は、空隙のどこに形成してもよいが、内容器１の着脱の障害にならない点で、内容器１の外底面と外ケース２の内底面との間が好ましい。
【００２７】
内容器１の外ケース２への固定は、内容器１に装着した蓋部材３を外ケース２に固定することにより行われる。具体的構成を図５及び図６に示す。蓋部材３に回動自在に取り付けられた外フラップ６の一方面に、横方向に離隔して２つの係止爪６１ａ，６１ｂが形成されている。そして外ケース２の、外フラップ６に対応する位置に２つの係止部２３ａ，２３ｂが形成されている。上面開口１１が蓋部材３で密閉された内容器１を外ケース２に収納した後、蓋部材３を若干押圧しながら外フラップ６を回動させて、外フラップ６の係止爪６１ａ，６１ｂを外ケース２の係止部２３ａ，２３ｂにそれぞれ引っかける（図５（ｃ））。このときのＢ−Ｂ線断面図を図６に示す。図６から理解されるように、一度係合した係止爪６１ａと係止部２３ａとはしっかりと連結され、同図において時計回り方向の力を外フラップ６に加えない限り、両者の係合状態が解除されることはない。
【００２８】
このような構成の飲料容器において、飲料液体は内容器１に注ぎ入れられる。蓋部材３を内容器１に取り付けた状態で、飲み口３２から飲料液体を内容器１に注ぎ入れてもよいし、内容器１から蓋部材３を外し、内容器１の上面開口１１から飲料液体を内容器１に注ぎ入れてもよい。
【００２９】
本発明の飲料容器の大きな特徴の一つは、内容器１内に飲料液体を入れた状態で、例えば冷蔵庫や冷凍庫に入れて冷却や冷凍することができ、また電子レンジで加温することもできることにある。従来のいわゆる魔法瓶では、冷たい又は温かい飲料液体を携帯したい場合には、飲料液体を別の容器に入れて予め冷却又は加温した後に、魔法瓶に入れる必要があるのに対し、本発明の飲料容器では、内容器１に飲料液体を入れた状態で冷却又は加温することができるので利便性が向上する。もちろん、予め冷却や加温して所望の温度とした飲料液体を内容器１に注ぎ入れても構わない。なお、飲料液体を内容器１に入れた後に凍結や加温する場合は、凍結や加温によって飲料液体の体積が膨張して内容器１が変形するおそれがあるので、内容器１の変形を抑えるため、図１に示したように内容器１にリブ１３ａ，１３ｂを形成したり、あるいは弾性を有する材料を用いたりするのが好ましい。
【００３０】
そして飲料液体が入れられた内容器１を外ケース２に装着し、蓋部材３の外フラップ６によって内容器１を外ケース２に取り付ける。これによって、飲料容器の保温性が向上し飲料液体の温度変化が抑えられる。
【００３１】
また内容器１内を掃除する場合、内容器１から蓋部材３を取り外せば、大きく開いた内容器１の上面開口１１から内容器内を容易に掃除できるようになる。
【００３２】
本発明の飲料容器の形状に特に限定はないが、前記実施形態で示したような薄い直方体形状とすると、鞄などに入れた際に円筒形状をした従来の容器に比べて嵩張らず収納性が向上する。
【図面の簡単な説明】
【００３３】
【図１】本発明に係る携帯用飲料容器の一例を示す組立斜視図である。
【図２】図１の携帯用飲料容器の組立を示す断面図である。
【図３】内容器への蓋部材の取り付けを示す部分拡大図である。
【図４】図３のＡ−Ａ線断面図である。
【図５】外ケースへの蓋部材の取り付けを示す部分拡大図である。
【図６】図５のＢ−Ｂ線断面図である。
【符号の説明】
【００３４】
１    内容器
２    外ケース
３    蓋部材
４    キャップ
５，５ａ    内フラップ
６，６ａ，６ｂ    外フラップ
７    冷却剤（又は加熱剤）
１１    上面開口
１２    突起
１４    突条
１５    係止部
２１    上面開口
２２    突起
２３ａ，２３ｂ    係止部
３２    飲み口
【図１】
2008133035.tif 000003
【図２】
2008133035.tif 000004
【図３】
2008133035.tif 000005
【図４】
2008133035.tif 000006
【図５】
2008133035.tif 000007
【図６】
2008133035.tif 000008